【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
複数の画像形成装置を利用する複数のクライアントの情報処理装置と通信する情報配信装置であって、
複数の画像形成装置に係る情報を記憶する記憶手段と、
複数の画像形成装置から収集した履歴情報に基づく複数の画像形成装置の配置変更の結果に応じて、前記記憶手段に記憶された複数の画像形成装置に係る情報を更新する更新手段と、
複数の画像形成装置から収集した履歴情報に基づく複数の画像形成装置の配置変更の結果に応じて、前記複数のクライアントのそれぞれが利用すべき画像形成装置を分析する分析手段と、
前記配置変更の結果に応じた分析の結果、複数のクライアントのそれぞれの利用すべき画像形成装置に係る情報と、当該画像形成装置に対するクライアントの印刷方法とを含む通知情報を生成する生成手段と、
前記生成手段により生成された通知情報を、複数の情報処理装置のそれぞれに対して通知する通知手段と、を有することを特徴とする情報配信装置。
【請求項２】
画像形成装置に係る情報は、画像形成装置のＩＰアドレス及び設置場所の情報の少なくとも何れかを含むことを特徴とする請求項１に記載の情報配信装置。
【請求項３】
前記通知情報には、印刷方法として、プルプリントを用いることを指示する情報が含まれることを特徴とする請求項１または２に記載の情報配信装置。
【請求項４】
前記生成手段は、前記情報処理装置からの要求に基づく画像形成装置での処理の完了通知を行うタイミングに係る情報を更に含む通知情報を生成することを特徴とする請求項１乃至３の何れか１項に記載の情報配信装置。
【請求項５】
前記通知手段は、前記通知情報とともに、前記配置変更による複数の画像形成装置の配置を確認するための情報を通知することを特徴とする請求項１乃至４の何れか１項に記載の情報配信装置。
【請求項６】
前記情報処理装置において、前記通知手段により通知に基づき、前記分析手段により利用すべきと分析された画像形成装置の利用に関する設定が変更されることを特徴とする請求項１乃至５の何れか１項に記載の情報配信装置。
【請求項７】
複数の画像形成装置から収集した履歴情報に基づく複数の画像形成装置の配置変更の結果に応じて、複数の画像形成装置のそれぞれが管理するクライアントごとのリソース情報を、複数の画像形成装置の間で移動することを指示する指示手段を更に有することを特徴とする請求項１乃至６の何れか１項に記載の情報配信装置。
【請求項８】
前記リソース情報は、ＢＯＸ番号、宛先情報、及び部門ＩＤの少なくとも何れかを含むことを特徴とする請求項７に記載の情報配信装置。
【請求項９】
情報配信装置と通信する情報処理装置であって、
前記情報処理装置のクライアントが利用する複数の画像形成装置の配置変更に応じた分析の結果、利用すべき画像形成装置に係る情報と、当該画像形成装置に対するクライアントの印刷方法とを含む通知を受信する受信手段と、
前記受信手段で受信した通知で指定される画像形成装置及び印刷方法と異なる内容で当該画像形成装置が利用された際に、前記受信手段で受信した通知で指定される画像形成装置及び印刷方法で画像形成装置を利用することを促す表示を行うための表示手段とを有することを特徴とする情報処理装置。
【請求項１０】
前記表示手段は、前記画像形成装置が利用された際の完了通知として、前記受信手段で受信した通知で指定される画像形成装置及び印刷方法で画像形成装置を利用することを促す表示を行うことを特徴とする請求項９に記載の情報処理装置。
【請求項１１】
複数の画像形成装置を利用する複数のクライアントの情報処理装置と通信する情報配信装置の制御方法であって、
複数の画像形成装置に係る情報を記憶する記憶工程と、
複数の画像形成装置から収集した履歴情報に基づく複数の画像形成装置の配置変更の結果に応じて、前記記憶工程に記憶された複数の画像形成装置に係る情報を更新する更新工程と、
複数の画像形成装置から収集した履歴情報に基づく複数の画像形成装置の配置変更の結果に応じて、前記複数のクライアントのそれぞれが利用すべき画像形成装置を分析する分析工程と、
前記配置変更の結果に応じた分析の結果、複数のクライアントのそれぞれの利用すべき画像形成装置に係る情報と、当該画像形成装置に対するクライアントの印刷方法とを含む通知情報を生成する生成工程と、
前記生成工程により生成された通知情報を、複数の情報処理装置のそれぞれに対して通知する通知工程と、を有することを特徴とする情報配信装置の制御方法。
【請求項１２】
画像形成装置に係る情報は、画像形成装置のＩＰアドレス及び設置場所の情報の少なくとも何れかを含むことを特徴とする請求項１１に記載の情報配信装置の制御方法。
【請求項１３】
前記通知情報には、印刷方法として、プルプリントを用いることを指示する情報が含まれることを特徴とする請求項１１または１２に記載の情報配信装置の制御方法。
【請求項１４】
前記生成工程は、前記情報処理装置からの要求に基づく画像形成装置での処理の完了通知を行うタイミングに係る情報を更に含む通知情報を生成することを特徴とする請求項１１乃至１３の何れか１項に記載の情報配信装置の制御方法。
【請求項１５】
前記通知工程は、前記通知情報とともに、前記配置変更による複数の画像形成装置の配置を確認するための情報を通知することを特徴とする請求項１１乃至１４の何れか１項に記載の情報配信装置の制御方法。
【請求項１６】
前記情報処理装置において、前記通知工程により通知に基づき、前記分析工程により利用すべきと分析された画像形成装置の利用に関する設定が変更されることを特徴とする請求項１１乃至１５の何れか１項に記載の情報配信装置の制御方法。
【請求項１７】
複数の画像形成装置から収集した履歴情報に基づく複数の画像形成装置の配置変更の結果に応じて、複数の画像形成装置のそれぞれが管理するクライアントごとのリソース情報を、複数の画像形成装置の間で移動することを指示する指示工程を更に有することを特徴とする請求項１１乃至１６の何れか１項に記載の情報配信装置の制御方法。
【請求項１８】
前記リソース情報は、ＢＯＸ番号、宛先情報、及び部門ＩＤの少なくとも何れかを含むことを特徴とする請求項１７に記載の情報配信装置の制御方法。
【請求項１９】
情報配信装置と通信する情報処理装置の制御方法であって、
前記情報処理装置のクライアントが利用する複数の画像形成装置の配置変更に応じた分析の結果、利用すべき画像形成装置に係る情報と、当該画像形成装置に対するクライアントの印刷方法とを含む通知を受信する受信工程と、
前記受信工程で受信した通知で指定される画像形成装置及び印刷方法と異なる内容で当該画像形成装置が利用された際に、前記受信工程で受信した通知で指定される画像形成装置及び印刷方法で画像形成装置を利用することを促す表示を行うための表示工程とを有することを特徴とする情報処理装置の制御方法。
【請求項２０】
前記表示工程は、前記画像形成装置が利用された際の完了通知として、前記受信工程で受信した通知で指定される画像形成装置及び印刷方法で画像形成装置を利用することを促す表示を行うことを特徴とする請求項１９に記載の情報処理装置の制御方法。
【請求項２１】
複数の画像形成装置を利用する複数のクライアントの情報処理装置と通信する情報配信装置の制御方法をコンピュータに実行させるためのコンピュータプログラムであって、
複数の画像形成装置に係る情報を記憶する記憶工程と、
複数の画像形成装置から収集した履歴情報に基づく複数の画像形成装置の配置変更の結果に応じて、前記記憶工程に記憶された複数の画像形成装置に係る情報を更新する更新工程と、
複数の画像形成装置から収集した履歴情報に基づく複数の画像形成装置の配置変更の結果に応じて、前記複数のクライアントのそれぞれが利用すべき画像形成装置を分析する分析工程と、
前記配置変更の結果に応じた分析の結果、複数のクライアントのそれぞれの利用すべき画像形成装置に係る情報と、当該画像形成装置に対するクライアントの印刷方法とを含む通知情報を生成する生成工程と、
前記生成工程により生成された通知情報を、複数の情報処理装置のそれぞれに対して通知する通知工程と、をコンピュータに実行させることを特徴とするコンピュータプログラム。
【請求項２２】
情報配信装置と通信する情報処理装置の制御方法をコンピュータに実行させるためのコンピュータプログラムであって、
前記情報処理装置のクライアントが利用する複数の画像形成装置の配置変更に応じた分析の結果、利用すべき画像形成装置に係る情報と、当該画像形成装置に対するクライアントの印刷方法とを含む通知を受信する受信工程と、
前記受信工程で受信した通知で指定される画像形成装置及び印刷方法と異なる内容で当該画像形成装置が利用された際に、前記受信工程で受信した通知で指定される画像形成装置及び印刷方法で画像形成装置を利用することを促す表示を行うための表示工程とをコンピュータに実行させることを特徴とするコンピュータプログラム。
【手続補正２】
【補正対象書類名】明細書
【補正対象項目名】０００７
【補正方法】変更
【補正の内容】
【０００７】
本発明の情報配信装置は、複数の画像形成装置を利用する複数のクライアントの情報処理装置と通信する情報配信装置であって、複数の画像形成装置に係る情報を記憶する記憶手段と、複数の画像形成装置から収集した履歴情報に基づく複数の画像形成装置の配置変更の結果に応じて、前記記憶手段に記憶された複数の画像形成装置に係る情報を更新する更新手段と、複数の画像形成装置から収集した履歴情報に基づく複数の画像形成装置の配置変更の結果に応じて、前記複数のクライアントのそれぞれが利用すべき画像形成装置を分析する分析手段と、前記配置変更の結果に応じた分析の結果、複数のクライアントのそれぞれの利用すべき画像形成装置に係る情報と、当該画像形成装置に対するクライアントの印刷方法とを含む通知情報を生成する生成手段と、前記生成手段により生成された通知情報を、複数の情報処理装置のそれぞれに対して通知する通知手段と、を有することを特徴とする。